(57)【要約】【課題】  この発明の目的は、パッティングの練習用にも、また、公式競技用にもしようできるゴルフパターを提供することである。【解決手段】  上記の目的を達成するために、パターヘッドＨにシャフト１１を設けたゴルフパターにおいて、パターヘッドＨ後端に伸縮可能にした方向指示部材Ｄを設けるとともに、この方向指示部材Ｄを少なくとも１８０度の範囲で回すことができる構成にしたものである。そして、方向指示部材Ｄを伸張した状態で練習モードとなり、方向指示部材Ｄを最短にしたとき公式競技用となるようにしている。しかも、この方向指示部材Ｄは、それを回して、パターヘッドＨの打球面１８側に位置させたり、あるいはパターヘッドＨの背面側に位置させたりできるようにしている。【選択図】  図１
2005319091.tif 000002
【特許請求の範囲】
【請求項１】
パターヘッドにシャフトを設けたゴルフパターにおいて、パターヘッド後端に伸縮可能にした方向指示部材を設けるとともに、この方向指示部材を少なくとも１８０度の範囲で回すことができる構成にしたゴルフパター。
【請求項２】
方向指示部材は複数のテレスコピックパイプからなるとともに、前端に位置するパイプの先端に方向矢視部を設け、この方向矢視部よりも基端側に目視部を設け、方向指示部材を最短縮した状態で、この目視部と方向矢視部とが一体化する構成にした請求項１記載のゴルフパター。
【発明の詳細な説明】
【技術分野】
【０００１】
この発明は、打球の方向を指示するゴルフパターに関する。
【背景技術】
【０００２】
この種のゴルフパターとして、特許文献１に記載のものが従来から知られているが、この従来のゴルフパターを示したのが図６である。この図６からも明らかなように、パターヘッド１に設けた方向指示部材２は、その前部２ａを打球面１ａ側に突出させ、後部２ｂを打球面１ａとは反対の背面１ｂ側に突出させている。そして、上記後部２ｂはテレスコピックパイプで構成して伸縮自在にしている。
【０００３】
また、上記前部２ａと後部２ｂとはパターヘッド１の打球面１ａに対して直角にするとともに、それら前部２ａおよび後部２ｂとを一直線上に配置しいている。しかも、これら前部２ａおよび後部２ｂは、パターヘッド１を地面に置いたとき、ゴルフボール３よりも高いところに位置するようにしている。
上記のようにしたパターを実際に使用するときには、図６に示すように、ゴルフボール３のマーク上に方向指示部材２の前部２ａを合わせる。そして、後部２ｂを打球方向に合わせて、その後部２ｂに沿ってパターヘッド１を打ち出すようにする。
【特許文献１】特開平１１−３４２２３１号公報
【発明の開示】
【発明が解決しようとする課題】
【０００４】
上記のようにした従来のゴルフパターでは、ゴルフボール３を打つ実際の場面では有効であるが、ゴルフボール３を打たない素振りの練習には必ずしも向いていないという問題があった。
この発明の目的は、ゴルフボールを打つ実際の場面でも有効であり、しかも、素振りの練習をするのにも適したゴルフパターを提供することである。
【課題を解決するための手段】
【０００５】
第１の発明は、パターヘッドにシャフトを設けたゴルフパターにおいて、パターヘッド後端に伸縮可能にした方向指示部材を設けるとともに、この方向指示部材を少なくとも１８０度の範囲で回すことができる構成にした点に特徴を有する。
第２の発明は、方向指示部材は複数のテレスコピックパイプからなるとともに、前端に位置するパイプの先端に方向矢視部を設け、この方向矢視部よりも基端側に目視部を設け、方向指示部材を最短縮した状態で、この目視部と方向矢視部とが一体化する構成にした点に特徴を有する。
【発明の効果】
【０００６】
第１の発明によれば、方向指示部材を短縮した状態で、それをパターヘッドの打球面側に位置させることによって、方向指示部材を見てパターヘッドの打ち出し方向を確認しながら、ゴルフボールを打つ練習が可能になる。なお、パターヘッドの打球面側に、ゴルフボールの打ち出し方向をガイドする手段を設けることは、公式競技では認められない。しかし、公式のゴルフ競技で使用するときには、方向指示部材を短縮してパターヘッドの打球面とは反対側に位置させれば何ら問題がない。その上、この方向指示部材を活用して、パターヘッドの打ち出し方向や、スタンスの方向等をチェックすることもできる。
【０００７】
また、方向指示部材を十分に長く延ばした状態で、ゴルフパターの素振りの練習をすれば、方向指示部材が長い分だけパターヘッドの送り出し方向を正確にチェックすることができる。
さらに、同じパットでも、距離が短いパットでは、パターヘッドを引くときにもそれを打ち出すときにも、パターヘッドを水平に移動させなければならない。しかし、方向指示部材をパターヘッドの打球面側に位置させてそれを十分に長くしておけば、パターヘッドを後に引くときに、それを水平に移動していないと、方向指示部材の先端が地面に接触してしまう。反対に、十分に長くした方向指示部材をパターヘッドとは反対の背面側に位置させておけば、パターヘッドを打ち出すときに、それを水平に移動していないと、方向指示部材の先端が地面に接触してしまう。
このような状況から、自らのパターヘッドの素振りが正常に行われているかどうかを簡単にチェックできる。
【０００８】
さらに、距離が長いパットでは、パターヘッドを振り子のようにスイングするが、このときには方向指示部材を傾斜させておけば、方向指示部材の先端が地面に接触するときのストロークの大きさをチェックすることができる。
結局、第１の発明によれば、公式競技にも使用できるし、パターの練習器としても使用でき、しかも、練習器として使用したときには、短い距離のパッティングの練習にも、長い距離のパッティングの練習にも使えるという効果を発揮することができる。
【０００９】
第２の発明によれば、方向指示部材をテレスコピックパイプで構成したので、その長さを自由に調整することができる。しかも、その先端に方向矢視部を設け、この方向矢視部よりも基端側に目視部を設けたので、方向指示部材とともにパターヘッドを移動させれば、これら方向矢視部および目視部が目に入ることになる。したがって、パッティングの練習中に、パターヘッドの送り出し方向を常にチェックすることができる。
【発明を実施するための最良の形態】
【００１０】
この発明の実施形態は、図１からも明らかなように、シャフト１１に設けたパターヘッドＨは、その後端１２に方向指示部材Ｄを設けている。この方向指示部材Ｄは、その基端１３を上記後端１２に取り付けているが、この方向指示部材Ｄは、上記基端１３を中心に回すことができる構成にしている。ただし、この実施形態では、方向指示部材Ｄの回転角を自由に設定できるようにするために、方向指示部材Ｄに作用させている回す力を解放したときに、その回転位置を保つことができる構成にしている。
【００１１】
上記のようにした方向指示部材Ｄは、テレスコピックパイプからなるもので伸縮可能にしている。そして、最も前端に位置するパイプ１４の先端に、プラスチック製の方向矢視部１５を固定するとともに、この方向矢視部１５よりも基端１３寄りに目視部１６を設けている。具体的には、基端１３側から二番目のパイプ１７に目視部１６を固定している。また、この方向指示部材Ｄは、それを最も収縮させてパターヘッドＨの打球面１８とは反対側である背面１９に位置させたとき、公式競技に使用してもその長さが違反にならない長さに設定している。しかも、上記最短状態において、図２に示すように方向矢視部１５と目視部１６とが一体化するようにしている。
【００１２】
次に、このゴルフパターの使用形態を説明する。
先ず、競技用として使用するときには、図２に示すように、方向指示部材Ｄを収縮して最短状態に保つとともに、その方向指示部材ＤをパターヘッドＨの背面１９側に位置させておく。このようにすれば、上記したように方向指示部材Ｄの最短長さが、公式競技に使用しても違反にならない長さに設定しているので、この方向指示部材Ｄを確認しながらパッティングをすることができ、パターヘッドＨを打ち出す方向を正確にチェックできる。しかも、方向指示部材Ｄを最短長さに設定したとき、方向矢視部１５と目視部１６とが一体化するので、それら両者がはっきりと目に入ることになり、それだけパターヘッドＨの打ち出し方向を正確にチェックしながらパッティングをすることができる。
【００１３】
また、パッティングの練習中には、図１に示すように方向指示部材ＤをパターヘッドＨの打球面１８側に位置させて、ゴルフボール３を打てば、打球面１８がゴルフボール３に当たった瞬間のパターヘッドＨの向きが、目的とする打球方向に向いているかどうかをチェックできる。
【００１４】
一方、図３に示すように、方向指示部材Ｄを最長の長さに延ばしておけば、パッティングの素振りの練習をすることができる。
例えば、短い距離のパッティングは、パターヘッドＨを水平方向に引いてから、水平方向に打ち出すのが理想とされている。そこで、方向指示部材Ｄを最も長い長さに保って、上記の理想的なスイングをすれば、方向指示部材Ｄの先端にある方向矢視部１５が地面についたりしない。しかし、パターヘッドＨを水平方向に引いていなければ、方向矢視部１５が地面についてしまう。
【００１５】
また、図４は、長さを最も長くした方向指示部材Ｄを打球面１８側に位置させた場合で、パターヘッドＨを後に引いた状態を示している。この図４からも明らかなように、パターヘッドＨを引くときに、それを持ち上げようとすれば、方向矢視部１５が地面に接触してしまう。したがって、自分のスイングが正しくできていないことが分かる。
また、図５は、長さを最も長くした方向指示部材Ｄを背面１９側に位置させた場合で、パターヘッドＨを打ち出した状態を示している。この図５からも明らかなように、パターヘッドＨを打ち出すときに、それを水平移動していなければ、方向矢視部１５が地面に接触してしまうので、ここでも自分のスイングが正しくできていないことが分かる。
【００１６】
さらに、長い距離のパッティングでは、パターヘッドＨを振り子のように振らなければならないが、この場合には、方向指示部材Ｄを最長長さに保って打球面１８側に位置させるとともに、方向指示部材Ｄを打球面１８に対して多少上向きに傾けておく。このようにすれば、パターヘッドＨを振り子の軌跡に沿って後に引いたとき、適正な弾き方をしていれば、方向矢視部１５が地面に接触することはない。しかし、パターヘッドＨを引きすぎると方向指示部材Ｄの方向矢視部１５が地面に接触してしまう。
したがって、長い距離のパッティング練習に関しては、方向指示部材Ｄを最長長さに保つとともに、それを所定の角度に保つことによって、パッティングの正しいスイングとその振り幅を意識した練習が可能になる。
【図面の簡単な説明】
【００１７】
【図１】練習モードの斜視図である。
【図２】実戦モードの背面図である。
【図３】方向指示部材の長さを最長に保った練習モードの平面図である。
【図４】パターヘッドを持ち上げすぎた状態の練習モードの説明図である。
【図５】パターヘッドを引き上げすぎた状態の練習モードの説明図である。
【図６】従来のゴルフパターを示した側面図である。
【符号の説明】
【００１８】
１１        シャフト
Ｈ          パターヘッド
Ｄ          方向指示部材
１３        方向指示部材の基端
１４        パイプ
１５        方向矢視部
１６        目視部
【図１】
2005319091.tif 000003
【図２】
2005319091.tif 000004
【図３】
2005319091.tif 000005
【図４】
2005319091.tif 000006
【図５】
2005319091.tif 000007
【図６】
2005319091.tif 000008